(57)【要約】【課題】  本考案は柑橘類用皮剥き具に関して、子供や老人、障害者の方々でも安心して使用し、又、使用後も柑橘類の皮に切り目を入れる鋭利な刃部において、災害を防止すると共に、安全を重視する。【解決手段】  本考案は握り手となる軸部の一端に柑橘類の皮に切り目を入れる１枚刃の薄板状の鉤型のブレード２を設け、他端側に２枚刃一対の薄板状のブレード３からなる係止鉤を設けたことを特徴とする柑橘類用皮剥き具である。さらに災害防止のため、又、安全重視のため、本考案は柑橘類の皮に切り目を入れる１枚刃のブレード２と他端側の２枚刃一対のブレード３を柑橘類用皮剥き具本体１の内部に収納部を設けた。さらに、本体１の中央部にボルト式１５とナット一式１２を設け、使用後は本体１を中央部で長さを半分にして小物入等に入れて、家庭内のみならず、外出時や旅行の際に携行できる安全で安心して使用できる柑橘類用皮剥き具である。【選択図】図２
0003125764.tif 000002
【実用新案登録請求の範囲】
【請求項１】
柑橘類用皮剥き具であって、握り手となる軸部の一端に柑橘類の皮に切り目を入れる。１枚刃の薄板状の鉤型のブレード２を設け、他端側に２枚刃一対の薄板状のブレード３からなる係止鉤を設けた事を特徴とする柑橘類用皮剥き具。
【請求項２】
使用後の安全性を重視するため、切り目を入れる１枚刃のブレード２と他端側の皮剥き用２枚刃一対のブレード３を本体１の内部に収納部を設け、又、本体１の中央で本体１を２本にするよう片方をボルト式１５に他片方をナット一式１２を設けたことで、本体１の長さを半分に短くすることで小物入等にも入れて携帯用としても便利で、家庭内のみならず外出時や旅行等に携行して、又、安全性を重視したことにより子供や老人、障害者の方々にも安全で、安心して使用できる柑橘類用皮剥き具。
【考案の詳細な説明】
【技術分野】
【０００１】  本考案は柑橘類用皮剥き具に関し、柑橘類の皮に切り目を入れる１枚刃の薄板状の鉤型のブレードと、他端側の２枚刃一対の薄板状の鉤型のブレードを設け、又鋭利な両ブレード刃共に、安全性を重視するため柑橘類用皮剥き具本体内部に収納部を設けた柑橘類用皮剥き具である。
【背景技術】
【０００２】  従来柑橘類用皮剥き具に関して、特許文献１と２に示されるように種々の構成を有するものが提案されている。まず特許文献１、実開昭６３−３９３１９号公報においては、細い握り棒の片方の端部に半円形の切れ歯を設け、他片方端部に鋭角のつき差し部を設け、さらにナイフ状の形状の切れ歯を設けた柑橘類用皮剥き具、さらに、特許文献２実開平０４−８０４２２号公報においては、鋭利な刃部を弾力のプラスチック性のものに変えたとあるが、しかし柑橘類の皮に切れ目を入れる刃部が外部にある以上やはり危険である。【０００３】
【特許文献１】実開昭６３−３９３１９号公報
【特許文献２】実開平０４−８０４２２号公報
【考案の開示】
【考案が解決しようとする課題】
【０００４】  特許文献１、実開昭６３−３９３１９号公報の柑橘類用皮剥き具は細い握り棒の片方の端部に、半円形の切れ歯を設け、他片方端部に鋭角の、つき差し部を、さらにナイフ状の形状の切れ歯を設けている。なお鋭利な刃部は外部に出刃している。【０００５】  特許文献２、実開平０４−８０４２２号公報の柑橘類用皮剥き具は、前述のような切れ刃の鋭利な刃部を弾力性のあるプラスチック性のものに変えたとあるが、柑橘類の皮に切れ目を入れる切り刃である以上先端の刃部が出刃していたら、使用後床等に落ちていた場合、子供等が足などに怪我をする危険がある。
【課題を解決するための手段】
【０００６】  前述の課題を解決するため、本考案は柑橘類の皮に切り目を入れる１枚刃の薄板状の鉤型のブレードと、他端側の柑橘類の皮を剥くための２枚刃一対の薄板状の鉤型のブレードを柑橘類用皮剥き具の本体の内部に収納部を設けた。又、本体中央部をネジ式にする事で、本体の長さを半分にし、外出時等に小物入れ等に入れて、携行して使用できる。又、鋭利なブレード刃を本体内部に収納する事で安全に使用できる、柑橘類用皮剥き具である。
【考案の効果】
【０００７】  前述の様に本考案の柑橘類用皮剥き具は、安全重視のため、柑橘類の皮に切り目を入れる１枚刃の薄板状の鉤型のブレードと、他端側の柑橘類の皮を剥くための２枚刃一対の薄板状の鉤型のブレードを、使用後は本考案の本体の内部に収納することにより、従来の柑橘類用皮剥き具より、さらに安全性を重視した。又、本体中央部で片方をボルト式に、他片方をナット式のネジ式にしたことで本体の長さが半分になる事で、小物入れ等にも、入るため携帯用として外出時や旅行などに携行して大変重宝する。又、鋭利なブレード刃を本体内部に収納することにより、床等に落ちても子供などが足な    どに怪我をする危険性もなくなり、さらに使用する際も安全なため子供や老人、障害    者の方々にも安心して使用できる大変重宝な実用上の効果の大きいものである。
【考案を実施するための最良の形態】
【０００８】  本考案は、図１が示すように握り手となる軸部の一端に柑橘類の皮に切り目を入れる１枚刃の薄板状の鉤型のブレード２を設け、他端側に２枚刃一対の薄板状の鉤型のブレード３からなる係止鉤を設けた事を特徴とする、柑橘類用皮剥き具である。さらに従来の柑橘類用皮剥き具は、鋭利な刃部が剥き出しになっていたが、本考案は、図２が示すように、本体１の内部に収納部を設けたことを特徴とする。又鋭利な両ブレード刃２，３を本体１の内部に収納するため、本体１の両端に押し棒６，７を設けた。この押し棒６，７を押す事により、両ブレード刃２，３が出刃して使用できる。使用後は図１の本体１の上部の鉤状ピン４，５を押す事によって、押し棒６，７が外側に出ることによって、鋭利な刃部の両ブレード刃２，３が図２の本体１の内部に収納される。８，９においては、両ブレード刃２，３と一体であり、又押し棒６，７の入出をするための板バネである。１０，１１は板バネ８，９を支止する固定板ピンである。又、本体１を中央部で２本にするため中央でネジ式にした。中央部から２枚刃一対のブレード３側がナット式１２、中央部から１枚刃ブレード２側がボルト式１５になっている。図２の１３，１４は図１の鉤状ピン４，５を止めるための鉤止穴である。これにより押し棒６，７が入出し、さらに鋭利な刃部の両ブレード刃２，３を本体１の内部に収納できる。さらに図３、図４が示す本体１の長さが半分になる事で小物入れ等に入れ、携帯用として便利な柑橘類用皮剥き具。
【図面の簡単な説明】
【０００９】
【図１】本考案の両ブレード刃を出し使用の際の正面断面図
【図２】本考案の両ブレード刃を収納した際の正面断面図
【図３】本体中央部で長さを半分にした際の正面断面図
【図４】本体中央部で長さを半分にした際の上方からの上面図
【符号の説明】
【００１０】  １  本体
２  皮に切り目を入れる１枚刃のブレード
３  皮を剥く２枚刃一対のブレード
４  鉤状ピン
５  鉤状ピン
６  押し棒
７  押し棒
８  板バネ
９  板バネ
１０  固定板ピン
１１  固定板ピン
１２  ナット式
１３  鉤止穴
１４  鉤止穴
１５  ボルト式
【図１】
0003125764.tif 000003
【図２】
0003125764.tif 000004
【図３】
0003125764.tif 000005
【図４】
0003125764.tif 000006
【手続補正書】
【提出日】平成18年6月16日(2006.6.16)
【手続補正１】
【補正対象書類名】実用新案登録請求の範囲
【補正対象項目名】全文
【補正方法】変更
【補正の内容】
【実用新案登録請求の範囲】
【請求項１】
柑橘類用皮剥き具であって、握り手となる軸部の一端に柑橘類の皮に切り目を入れる１枚刃の薄板状の鉤型のブレード２を設け、他端側に２枚一対の薄板状のブレード３からなる係止鉤を設けた事を特徴とする柑橘類用皮剥き具。
【請求項２】
請求項１記載の柑橘類用皮剥き具において、切り目を入れる１枚刃のブレード２と他端側の皮剥き用２枚一対のブレード３を本体１の内部に収納し、前記ブレード２および３を本体１から出没可能としたことを特徴とする柑橘類用皮剥き具。
【請求項３】
請求項２記載の柑橘類用皮剥き具において、本体１を２分割とし、着脱自在に螺合せしめたことを特徴とする柑橘類用皮剥き具。